(57)【要約】【課題】  電力系統模擬装置を用いて監視制御システムの試験を行う際、電力系統を構成する開閉器、スイッチ、リレー等の開閉状態を設定するが、その初期設定状態を任意に設定する際に、あらかじめ決められたデフォルト状態からの修正を少なくする。【解決手段】  電力系統の接続状態を設定する際に、電力系統で用いられる開閉器の開閉状態パターンを定義する電力系統設定ルールを予め作成しておき、その中から最も適したルールを選択して接続状態を設定し設定後にこれを修正可能とする。【選択図】  図１
2011120352.tif 000002
【特許請求の範囲】
【請求項１】
電力系統を構成する機器と前記機器が接続される設備の関係を規定する設備データベースと、前記機器の開閉状態を前記設備との関係で規定する複数の電力系統設定ルールを備え、選択された前記電力系統設定ルールに基づいて前記機器の初期状態を設定する電力系統模擬装置。
【請求項２】
電力系統設定ルールを、送電線側２系統と変圧器側２系統とこれらが機器を介して接続する母線２系統をそれぞれ組み合わせる場合について規定したことを特徴とする請求項１に記載の電力系統模擬装置。
【請求項３】
電力系統設定ルールを、母線の１系統のみに送電線側２系統または変圧器側２系統を接続して組み合わせる場合について規定したことを特徴とする請求項１に記載の電力系統模擬装置。
【請求項４】
全ての機器について、断路器と遮断器を閉、接地開閉器を開と仮決定した後、選択された電力系統設定ルールに基づいて前記機器の初期状態を設定することを特徴とする請求項１乃至請求項３のいずれかに記載の電力系統模擬装置。
【請求項５】
選択された電力系統設定ルールに基づいて機器の初期状態を設定した後、機器の開閉状態を変更する操作部を備えたことを特徴とする、請求項１乃至請求項４のいずれかに記載の電力系統模擬装置。
【請求項６】
選択された電力系統設定ルールで開閉状態を決定できない機器について、断路器と遮断器を閉、接地開閉器を開とすることを特徴とする請求項１乃至請求項３又は請求項５のいずれかに記載の電力系統模擬装置。
【請求項７】
電力系統を構成する機器と前記機器が接続される設備の関係を規定する設備データベースと、前記機器の開閉状態を前記設備との関係で規定する複数の電力系統設定ルールを用いて、選択された前記電力系統設定ルールに基づいて前記機器の初期状態を設定する電力系統模擬方法。
【発明の詳細な説明】
【技術分野】
【０００１】
この発明は、電力系統を構成する開閉器，スイッチ，リレー等の機器を遠方より監視、制御する監視制御システムを、実際の電力系統に接続する前に動作の検証を可能とする電力系統模擬装置および電力系統模擬方法に係わるものである。
【背景技術】
【０００２】
従来の電力系統模擬装置は、各機器の機器情報を参照して、電力系統の接続形態が運用形態に一致するように各機器の開閉状態を設定するとともに、各機器の開閉状態を条件とする潮流計算を実行して、電力系統の電気量を演算するようにしたものである（例えば、特許文献１参照）。
【先行技術文献】
【特許文献】
【０００３】
【特許文献１】特開平１１−２６２１７５公報（第５−６頁、図１、図３、図４）
【発明の概要】
【発明が解決しようとする課題】
【０００４】
従来の電力系統模擬装置は、電力系統の接続状態を設定する際に、各機器の開閉状態が標準的な接続状態となるよう設定している。その設定状態は標準的な接続状態に限られ、デフォルト状態を任意の接続状態、例えば全て開状態、全て閉状態、送電線１号線を乙母線に接続かつ送電線２号線を甲母線に接続、等を選択して設定することができず、任意の接続状態に操作するためには、デフォルト状態設定後の状態修正が多くなるという問題点があった。
【０００５】
この発明は、上記のような問題点を解決するためになされたもので、電力系統の機器の接続状態を任意に設定する際に、設定したい開閉状態に近い状態となる設定ルールを選択して、機器の接続の初期状態を設定し、デフォルト状態設定後の状態修正を少なくすることを目的としている。
【課題を解決するための手段】
【０００６】
この発明に係わる電力系統模擬装置においては、開閉器，スイッチ，リレー等の電力系統を構成する機器と、送電線，変圧器等の設備の関係を定め機器情報を格納する設備データベースと、前記機器の開閉状態を規定する複数の電力系統設定ルールを備え、選択された設定ルールに基づいて機器の初期状態を設定するものである。
【発明の効果】
【０００７】
この発明は、選択された電力系統設定ルールに基づいて電力系統を構成する機器の開閉状態を設定するようにしたので、設定したい開閉状態に近いデフォルト状態を設定することができ、設定したい開閉状態にするためのデフォルト状態設定後の状態修正を少なくすることが出来、設定したい初期状態を容易に設定することができる。
【図面の簡単な説明】
【０００８】
【図１】この発明の実施の形態１及び２を示す電力系統模擬装置のブロック図である。
【図２】この発明の実施の形態１及び２を示す模擬する電力系統の機器のポジションデータを表した図である。
【図３】この発明の実施の形態１及び２を示す模擬する電力系統の接続図である。
【図４】この発明の実施の形態１及び２を示す模擬する電力系統の機器と設備を関連付ける設備データベースの図である。
【図５】この発明の実施の形態１及び２を示す電力系統設定ルール（１）を表した図である。
【図６】この発明の実施の形態１及び２を示す電力系統設定ルール（２）を表した図である。
【図７】この発明の実施の形態１及び２を示す電力系統設定ルール（３）を表した図である。
【図８】この発明の実施の形態２を示す電力系統設定ルール（４）を表した図である。
【図９】この発明の実施の形態１及び２を示す電力系統設定ルールの記載を説明する図である。
【図１０】この発明の実施の形態１を示すデフォルト状態設定方法を表したフローチャート１である。
【図１１】この発明の実施の形態１を示すデフォルト状態設定方法を表したフローャャート２である。
【図１２】この発明の実施の形態１を示すルール番号が００１であった場合の開閉状態設置値を表した図である。
【図１３】この発明の実施の形態１を示すルール番号が００２であった場合の開閉状態設定値を表した図である。
【図１４】この発明の実施の形態１を示すルール番号が００３であった場合の開閉状態設定値を表した図である。
【図１５】この発明の実施の形態１を示すルール番号が００４であった場合の開閉状態設定値を表した図である。
【図１６】この発明の実施の形態１を示すルール番号が００５であった場合の開閉状態設定値を表した図である。
【図１７】この発明の実施の形態１を示すルール番号が００６であった場合の開閉状態設定値を表した図である。
【図１８】この発明の実施の形態１を示すルール番号が００７であった場合の開閉状態設定値を表した図である。
【図１９】この発明の実施の形態１を示すルール番号が００８であった場合の開閉状態設定値を表した図である。
【図２０】この発明の実施の形態２を示すデフォルト状態設定方法を表したフローチャート３である。
【図２１】この発明の実施の形態２を示すデフォルト状態設定方法を表したフローャャート４である。
【発明を実施するための形態】
【０００９】
実施の形態１．
図１はこの発明の実施の形態１及び２を示す電力系統模擬装置のブロック図である。電力系統を構成する開閉器、スイッチ、リレー等の機器を遠方より監視、制御する監視制御システムの動作検証用の電力系統模擬装置について示している。電力系統は、各機器が、送電線、変圧器等の設備に接続されて構成される。
図１において、１１は監視制御システム動作検証用の電力系統模擬装置、１２は電力系統における機器の開閉状態を設定する開閉状態設定部、１３は機器の開閉状態、制御信号等を実際の通信機器が通信する信号の中で割り付けるデータの格納位置即ちアドレスに関連付けるポジションデータ、１４は機器の現在の開閉状態を保持するための開閉状態メモリ、１５は機器のデフォルト状態を設定するデフォルト状態設定部、１６は電力系統で用いられる機器の開閉状態パターンを定義している電力系統設定ルール、１７は電力系統を構成する各機器と設備の接続関係を示す情報を格納する設備データベース、１８は開閉状態メモリ１４から機器の開閉状態を読み出して監視制御システムに送信するための開閉状態送信部、１９は電力系統模擬装置１１を用いて試験される対象の監視制御システムである。
２０は開閉状態設定部が設定している開閉状態を表示する表示部、２１は各機器の開閉状態を変更するための操作部である。
開閉状態設定部１２が監視制御システムへ送信する予定の開閉状態が、表示部２０に表示される。一部を変更する場合には、操作部２１で変更しようとする機器を選択して開閉状態を設定し、開閉状態メモリ１４の内容を書き換える。変更が終了すると、開閉状態メモリ１４から変更された開閉状態を読み出した開閉状態送信部１８が監視制御システム１９に変更後の各機器の開閉状態を送信する。
【００１０】
図２はこの発明の実施の形態１及び２を示す模擬する電力系統の機器のポジションデータを表した図である。電力系統の機器のポジションの図では、監視制御システムと開閉器、スイッチ、リレー等の機器の制御装置の間で通信する信号の中で各機器毎に割り付けるデータの格納位置即ちアドレスが規定されている。アドレスはワードとビットから構成され、各アドレスに従って、対する機器の名称、データ０，１に対する開閉状態の名称、設備データベース上のどの機器と関連付けるかを表す機器通番及び機器種別に関するデータで構成されている。
機器種別は、断路器を示すＬＳ（Ｌｉｎｅ  Ｓｗｉｔｃｈ），接地開閉器を示すＥＳ（Ｅａｒｔｈｉｎｇ  Ｓｗｉｔｃｈ），遮断器を示すＣＢ（Ｃｉｒｃｕｉｔ  Ｂｒｅａｋｅｒ）の別が示されている。
【００１１】
図３はこの発明の実施の形態１及び２を示す模擬する電力系統の接続図である。電力系統の一部を表したもので、変電所の二重母線である甲母線、乙母線には開閉器を介して二重の送電線である送電線１号線、送電線２号線、及び、二重の変圧器への接続線である変圧器接続１号線、変圧器接続２号線がそれぞれ機器を介して接続されている。
各機器のうち、断路器を示すＬＳ及び接地開閉器を示すＥＳが「□」又は「■」で示され、遮断器を示すＣＢが「○」又は「●」で示されている。「□」，「○」は開（切り）状態、「■」，「●」は閉（入）状態を示す。
【００１２】
図４はこの発明の実施の形態１及び２の模擬する電力系統設備と各機器とを関連付ける設備データベースの図である。各機器の所属電気所通番、接続母線機番、とともに、機器通番、によって図２のポジションデータと関連付けられた機器の、所属設備、所属設備機番等が規定されている。ここで設備は、送電線及び変圧器である。
接続母線機番は、機器に接続している母線が有るときその母線が甲母線なら「１」、乙母線なら「２」が設定される。甲乙双方に接続している場合は接続母線機番は「無し」である。
所属設備機番は、機器に接続している設備が有るときその送電線又は変圧器の接続する線が１号線であれば「１」が、２号線であれば「２」が設定される。
【００１３】
図５から図７は、この発明の実施の形態１及び２を示す電力系統設定ルールを表した図である。ルール番号によって選択したルールは１つ又は２以上のルール通番を有し、接続母線機番・機器種別・所属設備・所属設備機番に対して適用対象が規定され該当する機器の開閉状態が特定される。
図９はこの発明の実施の形態１及び２を示す電力系統設定ルールの記載を説明する図である。図５から図８のルールに関する規定の仕方を説明している。
【００１４】
図１０はこの発明の実施の形態１を示すデフォルト状態設定方法を表したフローチャー
ト１である。
図１１はこの発明の実施の形態１を示すデフォルト状態設定方法を表したフローチャー
ト２である。図１１に記載際したフローチャート２は、図１０のフローチャート１の中で呼び出されるサブルーチン１である。各機器のポジションデータを記載した図３から順次機器の情報を読み出し、設備データベースと指定されたルールに応じて機器毎の開閉状態を決定する。
【００１５】
以下、図１０のフローチャートのステップに従って、電力系統模擬装置の動作について説明してゆく。
図１０に示されたフローチャートは、電力系統の初期状態を模擬するときに実行されるプログラムを示している。ステップ１０１で開始されたプログラムは、ステップ１０２へ進む。
ステップ１０２では、各機器の初期状態を決定するために、ルール０１３を適用すべく、ルール設定レジスタＮrに、０１３をセットする。ルール０１３は、図７に示すように、全ての断路器（ＬＳ）、開閉器（ＣＢ）を閉（入り）状態に、全ての接地開閉器（ＥＳ）を開（切り）状態に設定するルールである。
次にステップ１０３で、図１１にフローチャート２として示したサブルーチン１をコールする。このサブルーチン１によって、ポジションデータを表した図２に規定された機器についてルール設定レジスタＮrで指定されたルールが適用されて各機器の開閉状態が決定される。ステップ１０３では、ルール０１３が指定されて実行される。この結果、断路器（ＬＳ）、開閉器（ＣＢ）が閉（入り）状態に、接地開閉器（ＥＳ）が開（切り）状態になるよう、開閉状態メモリ１４が設定される。
次に、ステップ１０４では、操作部２１から指示されたルール番号がルール設定レジスタＮrに設定される。
その後、ステップ１０５で、図１１のフローチャート２として示したサブルーチン１をコールし、図５〜７に示したルール００１〜００８，０１１〜０１４のうち、ルール設定レジスタＮｒで指定されたルールが選択されて適用される。ルールの中で順次読み込んだ機器のデータと合致する条件があれば、ルールによって該当する機器の開閉状態が決定され、各機器の開閉状態の初期値が開閉状態メモリ１４に設定される。
その後ステップ１０９で図１０のフローチャートは終了し、全ての機器の初期状態が決定し開閉状態メモリ１４に設置される。
【００１６】
図１０のフローチャートの処理が終わった後、表示部２０で各機器の初期状態設定値を確認しながら、希望している任意の初期開閉状態とするため、操作部２１で機器の開閉状態の設置を修正してゆくことができ、任意の初期状態の設定を開閉状態メモリ１４に設定することが出来る。その後、開閉状態送信部１８から、制御監視システム１９に各機器の初期状態が模擬されて送信される。
【００１７】
次に図１１に示したフローチャート２について説明する。フローチャート２は図１０のフローチャートの中でコールされるサブルーチン１である。
コールされたこのサブルーチン１は、ステップ１１０から開始され、ステップ１１１でルール設定レジスタＮｒの値を読み込む。その設定値で指定されたルールを以下のステップで適用する。
ステップ１１２で、前回ポジションデータ１３に規定されている末尾の行の機器について読み込み終了しているかどうかを判定する。末尾の行の読み込み終了済みの場合は、ステップ１１８へ進んで、ＲＴＳ（リターンサブルーチン）を実行する。サブルーチン１がコールされた元のフローへ戻って次の処理の開始が出来るよう、サブルーチン１を終了してリターンするのである。
ステップ１１２で、前回ポジションデータの末尾のデータを読み込み済みでなければ、ステップ１１３へ進む。
ステップ１１３で、開閉状態設定部１２が図２に示されるポジションデータを新たに一行読み込み、そこに記載された機器についての初期状態の設定の準備をする。
ステップ１１４では、図２に示されるポジションデータから読み込んだ行の機器について「機器通番」を読み取る。またデフォルト状態設定部１５を介して設備データベース１７にアクセスし、「機器通番」から図４に示される設備データベースの該当する機器の「機器種別」，「所属設備」「所属設備機番」を読み取る。そして、同じくデフォルト状態設定部１５を介して、電力系統設定ルール１６にアクセスし選択されているルールを読み込む。
その後、ステップ１１５で、選択されているルールの中で、該当する行があるかどうかを判断し、該当する行が無い即ち当該ルールの適用が無い場合はステップ１１７をスキップしてループし、ステップ１１２へ戻る。
該当する行が有る場合は、ステップ１１７に進んで指定されたルールを適用し、当該機器の開閉状態を、開閉状態メモリ１４に格納する。その後、ループしてステップ１１２へ戻る。
【００１８】
例として、ルール００３が選択されているときを想定する。ルール００３の内容は図５に記載されている。ステップ１１３で図２のポジションデータの１行目を読み込んだ場合、「機器通番」は「２００００」で、「機器種別」は「ＣＢ」即ち遮断器である。図４の設備データベースの図から機器通番が「２００００」である行を読み込み「接続母線機番」は「無し」、「所属設備」は「無し」、「所属設備機番」は「無し」であることを確認する。
これらの情報に対して、ルール００３を適用すると、どの行にも該当せず、「機器通番」が「２００００」である遮断器Ｒ００の開閉状態は、ルール０１３で遮断器（ＣＢ）を閉（入り）状態として開閉状態メモリに格納されたままとなり、そのままループしてステップ１１２へ進む。
【００１９】
また、例として、図２のポジションデータの５行目を読み込んだ場合、「機器通番」は「２０１０１」で、「機器種別」は「ＬＳ」即ち断路器である。図４の設備データベースの図から機器通番が「２０１０１」である行を読み込み「接続母線機番」は「１」、「所属設備」は「送電線」、「所属設備機番」は「１」であることを確認する。
これらの情報に対して、ルール００３を適用すると、ルール通番３００１が該当し、断路器Ｒ１１の初期設定用開閉状態は「１」であり閉（入り）状態であることが確認できる。ステップ１１７で閉（入り）状態を開閉状態メモリの当該機器のアドレスに格納し、ループしてステップ１１２へ進む。
【００２０】
上記のように、図２のポジションデータの全てのポジションに対して、指定された電力系統設定ルールに基づいて開閉状態を設定し、開閉状態メモリ１４に格納していく。
このようにして、デフォルト状態設定部１５で、予め設定された電力系統設定ルール１６の中からルール番号を選択すると、ポジションデータにある全ての開閉器についてルールの通り開閉状態を設定することができる。
【００２１】
以上で明らかなように、この実施の形態１によれば、指定された電力系統設定ルールの内容を参照して、開閉器の開閉状態をルールに基づいて設定するようにしたので、比較的少数のルールを取り決めることによって、多数の機器の開閉状態を決定することができる。また、電力系統模擬装置で模擬する開閉器の開閉状態を電力系統全体にわたって変更するときは、ルール番号を変更するだけでよく、監視制御システムの開閉器の初期状態を容易かつ短時間に設定することができる効果を奏する。
この方法を使用することにより、監視制御システム動作検証用電力系統模擬方法の初期設定に要する時間が短縮され、検証効率が向上できる。
【００２２】
また、設備データベースは所属電気所通番を持っているため、開閉器の開閉状態を電力系統全体にわたって変更するのではなく、指定した電気所のみ別のルール番号に基づいて変更することができる効果も奏する。
【００２３】
また、動作検証の途中で電力系統の規模が大きくなって新規の機器がポジションデータ１３に追加された場合であっても、追加された機器について既定のルールに基づいて開閉状態を設定すればよいので、開閉器の初期状態を一から設定し直す必要はなく、初期設定の時間を短縮できる効果を奏する。
【００２４】
ここで、送電線1号線と送電線２号線、変圧器接続１号線と変圧器接続２号線、及び甲母線と乙母線の組み合わせを規定した例について、図３に示している。
図５から図７に以下のようなルールを示している。
ルール００１では、1号線には甲母線を接続し、２号線には乙母線を接続するルールについて示している。
ルール００２では、１号線には乙母線を接続し、２号線には甲母線を接続するルールについて示している。
ルール００３では、送電線側の１号線と甲母線を、送電線側２号線と乙母線を接続し、甲母線と変圧器側２号線を、乙母線と変圧器側１号線を接続するルールについて示している。
ルール００４では、送電線側の１号線と乙母線を、送電線側２号線と甲母線を接続し、甲母線と変圧器側１号線を、乙母線と変圧器側２号線を接続するルールについて示している。
ルール００５では、甲乙母線を分離し、送電線側、変圧器側とも甲母線にのみ接続するルールについて示している。
ルール００６では、甲乙母線を分離し、送電線側、変圧器側とも乙母線にのみ接続するルールについて示している。
ルール００７では、甲乙母線を分離し、甲母線に送電線側１号線と２号線を接続し、乙母線に変圧器側１号線と2号線を接続するルールについて示している。
ルール００８では、甲乙母線を分離し、乙母線に送電線側１号線と２号線を接続し、甲母線に変圧器側１号線と2号線を接続するルールについて示している。
ルール０１１では、全ての機器を閉（入り）状態とするルールについて示している。
ルール０１２では、全ての機器を開（切り）状態とするルールについて示している。
ルール０１３では、全ての断路器（ＬＳ）と遮断器（ＣＢ）を閉（入り）状態、全ての接地開閉器（ＥＳ）を開（切り）状態とするルールについて示している。
ルール０１４では、全ての断路器（ＬＳ）と遮断器（ＣＢ）を開（切り）状態、全ての接地開閉器（ＥＳ）を閉（入り）状態とするルールについて示している。
【００２５】
図１０のフローチャート１で、図５，図６に示したルール番号００１〜ルール番号００８を指定して実行した場合に、各機器の初期状態として設定される開閉状態を、図１２〜図１９の「開閉状態」欄に示す。
図１２〜図１９の「適用ルール通番」欄には、操作部２１でルール番号を指定したことによる各機器の設定根拠となるルール通番が記載されている。操作部２１で指定したルール番号のルールにより開閉状態が決定されない機器については、ルール番号０１３によって、あらかじめ開閉状態が設定されているので、ルール番号０１３による適用ルール通番が記載されている。
ルール番号０１１〜０１４を指定した場合についての、各機器の開閉状態は図７の備考欄に示す内容となる。
【００２６】
以上述べたように、図３に示す電力系統の接続図では、送電線側２系統と変圧器側２系統とこれらが機器を介して接続する母線２系統をそれぞれ組み合わせる場合について規定しているが、これらは３系統以上の系統を組み合わせた場合、もしくは一部を１系統とした場合についても応用でき、このような場合にもルールを策定できる。
【００２７】
上記では、設備毎に割り付けられるアドレスと、機器通番などからなり図２で示されるポジションデータと、電力系統設備と各機器とを関連付ける図４で示される設備データベースを別設定としたが、この二つの要素を結合して、ひとつのデータ若しくはデータベースで表してもよい。
【００２８】
ルール００１〜００４に示したように、電力系統設定ルールを、送電線側２系統と変圧器側２系統とこれらが機器を介して接続する母線２系統をそれぞれ組み合わせる場合について規定することが出来る。これによって、実際の電力系統の接続によく利用される「１甲２乙」の接続を、組み合わせを変えて設定することができる。
よって、監視制御システムの操作検証のための模擬を実際の使用状況に近い状態で、かつ容易に組み合わせを換えて迅速に行うことが出来る。これによって、より高い信頼性を実現することが出来、検証の効率を向上することも出来る。
【００２９】
ルール００５，００６のように、電力系統設定ルールを、母線の１系統のみに送電線側２系統または変圧器側２系統を接続して組み合わせる場合について規定することが出来る。これによって、母線の１系統のみを使用する場合の検証を容易に行えるだけでなく、その組み合わせを変えて検証することも容易に実施できる。これによって、より高い信頼性を実現することが出来、検証の効率を向上することも出来る。
【００３０】
図１０のフローチャートでは、最初に全ての断路器（ＬＳ）と遮断器（ＣＢ）を閉（入り）状態、全ての接地開閉器（ＥＳ）を開（切り）状態とするルール１３を実行させた後、他のルールを適用している。
【００３１】
このようにすれば、開閉状態が不定の機器が残らず、全ての機器について開閉状態をもれなく指定することが出来る。また、開閉状態を指定していない機器と指定済みの機器を判別する必要がなく、単純な処理で、漏れなく全ての機器の開閉状態を設定できる。
【００３２】
この実施の形態１によれば、表示部２０で各機器の初期状態設定値を確認しながら、希望している任意の初期開閉状態とするため、操作部２１で機器の開閉状態の設定を修正してゆくことができ、任意の初期状態の設定を開閉状態メモリ１４に設定することが出来る。
よって、設定したい機器の開閉状態に一番近い状態となるルールを選択して、ルールを指定して初期状態を設定した後、必要な部分の初期状態を変更すればよいので、任意の初期状態の設定を容易かつ迅速に行うことが出来る。
このため、初期設定に要する時間が短縮され、検証効率が向上できる。
【００３３】
以上述べたように、機器の開閉状態を設備との関係で規定する複数の電力系統設定ルールを用いて、選択された電力系統設定ルールに基づいて機器の初期状態を設定する電力系統模擬方法は、設定したい初期状態を複数のルールから選択できるので、初期状態の設定を短時間で容易に行える方法である。
この方法を使用することにより、監視制御システム動作検証用電力系統模擬方法の初期設定に要する時間が短縮され、検証効率が向上できる。
【００３４】
実施の形態２．
図２０はこの発明の実施の形態２を示すデフォルト状態設定方法を表したフローチャート３である。
図２１はこの発明の実施の形態２を示すデフォルト状態設定方法を表したフローチャー
ト４である。図２１に記載際したフローチャート４は、図２０のフローチャート３の中で呼び出されるサブルーチン２である。各機器のポジションデータを記載した図３から順次機器の情報を読み出し、設備データベースと指定されたルールに応じて機器毎の開閉状態を決定する。
【００３５】
図２０のフローチャート３のステップに従って、電力系統模擬装置の動作について説明してゆく。
図２０に示されたフローチャート３は、電力系統の初期状態を模擬するときに実行されるプログラムを示している。ステップ２０１で開始されたプログラムは、ステップ２０２へ進む。
ステップ２０２では、開閉状態メモリ１４に設定された機器毎の開閉状態設定フラグを全てクリアして、全ての機器について開閉状態を未設定とする。
次に、ステップ２０４では、操作部２１から指示されたルール番号がルール設定レジスタＮrに設定される。
その後、ステップ２０５で、図２１のフローチャート４として示したサブルーチン２をコールし、図５〜図７に示したルール００１〜００８，０１１〜０１４のうち、ルール設定レジスタＮｒで指定されたルールが選択されて適用される。ルールの中で順次読み込んだ機器のデータと合致する条件があれば、ルールによって該当する機器の開閉状態が決定され、各機器の開閉状態の初期値が開閉状態メモリ１４に設定されるとともに当該機器の開閉状態設定フラグがセットされる。
ステップ２０６では、開閉状態を設定されていない各機器の初期状態を決定するために、ルール０９９を適用すべく、ルール設定レジスタＮrに、０９９をセットする。ルール０９９は、図８に示すように、開閉状態が未設定の断路器（ＬＳ）、遮断器（ＣＢ）を閉（入り）状態に、開閉状態が未設定の接地開閉器（ＥＳ）を開（切り）状態に設定するルールである。
次にステップ２０７で、図２１にフローチャート４として示したサブルーチン２をコールする。このサブルーチン２によって、図２のポジションデータに規定された機器についてルール設定レジスタＮrで指定されたルールが適用されて各機器の開閉状態が決定される。ステップ２０７では、ルール０９９が指定されて実行される。
図８は、この発明の実施の形態２を示す電力系統設定ルール（４）を表した図である。
図８では、その前に適用されたルールで、開閉状態を設定されていない機器についてのみ、全ての断路器（ＬＳ）と遮断器（ＣＢ）を閉（入り）状態、全ての接地開閉器（ＥＳ）を開（切り）状態とするルール０９９について示している。
ステップ２０７でルール０９９が実行された結果、開閉状態が未設定の断路器（ＬＳ）、開閉器（ＣＢ）が閉（入り）状態に、開閉状態が未設定の接地開閉器（ＥＳ）が開（切り）状態になるよう、開閉状態メモリ１４が設定される。
その後ステップ２０９で図２０のフローチャートは終了し、全ての機器の初期状態が決定し開閉状態メモリ１４に設定される。
【００３６】
図２０のフローチャートの処理が終わった後、表示部２０で各機器の初期状態設定値を確認しながら、希望している任意の初期開閉状態とするため、操作部２１で機器の開閉状態の設置を修正してゆくことができ、任意の初期状態の設定を開閉状態メモリ１４に設定することが出来る。その後、開閉状態送信部１８から、制御監視システム１９に各機器の初期状態が模擬されて送信される。
【００３７】
次に図２１に示したフローチャート４について説明する。フローチャート４は図２０のフローチャートの中でコールされるサブルーチン２である。
コールされたこのサブルーチン２は、ステップ２１０から開始されるが、ステップ１１１以下、ステップ１１８までの間で、ステップ２２１、ステップ２２２以外は図１１のサブルーチン１と同一なので、同一部分の説明を省く。
ステップ２２１で、今確認しようとしている機器について、開閉状態設定済みか否かを、開閉状態メモリ１４に機器ごとに設置されている開閉状態設定フラグを読み込んで確認する。開閉状態設定フラグが０の時は、開閉状態が未設定なので、次のステップ１１４へ進む。開閉状態設定フラグが１の時は、開閉状態が設定済みなので、当該機器に関する電力系統ルールの参照をスキップしてステップ１１２へループする。
ステップ１１４からステップ１１７までは、図１１のフローチャート２と同様である。
ステップ１１７で、確認した機器の開閉状態を開閉状態メモリに格納した後、ステップ２２２で開閉状態設定フラグをセットしてから、ステップ１１２へループする。
これによって、開閉状態を設定されていない機器についてのみ、開閉状態が設定される。
なお、図１から図９は、そのまま実施の形態２にも適用できる。
ルール００１〜ルール００８を指定して実行した場合、各機器の初期状態として設定される開閉状態は、実施の形態１の+図１２〜図１９と同様になるが、図１２〜図１９の適用ルール通番  の欄は、「１３００１」の替わりに「９９００１」が、「１３００２」の替わりに「９９００２」となる。
【００３８】
この実施の形態２に係わる電力系統簿儀装置では、開閉状態を指定されていない機器についてのみ、全ての断路器（ＬＳ）と遮断器（ＣＢ）を閉（入り）状態、開閉状態を指定されていない機器に接地開閉器（ＥＳ）を開（切り）状態とするルール０９９を適用することとしている。
このようにすれば、全ての機器について一度だけ開閉状態が判断されて開閉状態メモリに記憶されるので、処理の実行時間が最短で終了する。よって、実行時間が短縮され、計算機の負荷も小さくて済む。
【符号の説明】
【００３９】
１１            電力系統模擬装置
１２            開閉状態設定部
１３            ポジションデータ
１４            開閉状態メモリ
１５            デフォルト状態設定部
１６            電力系統設定ルール
１７            設備データベース
１８            開閉状態送信部
１９            監視制御システム
２０            表示部
２１            操作部
【図１】
2011120352.tif 000003
【図２】
2011120352.tif 000004
【図３】
2011120352.tif 000005
【図４】
2011120352.tif 000006
【図５】
2011120352.tif 000007
【図６】
2011120352.tif 000008
【図７】
2011120352.tif 000009
【図８】
2011120352.tif 000010
【図９】
2011120352.tif 000011
【図１０】
2011120352.tif 000012
【図１１】
2011120352.tif 000013
【図１２】
2011120352.tif 000014
【図１３】
2011120352.tif 000015
【図１４】
2011120352.tif 000016
【図１５】
2011120352.tif 000017
【図１６】
2011120352.tif 000018
【図１７】
2011120352.tif 000019
【図１８】
2011120352.tif 000020
【図１９】
2011120352.tif 000021
【図２０】
2011120352.tif 000022
【図２１】
2011120352.tif 000023